【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
情報配布側の情報処理装置と、情報利用側の情報利用装置とを有する情報処理システムであって、
前記情報配布側の情報処理装置は、
前記情報利用側の情報処理装置に配布データを配布する配布手段と、
前記配布手段により配布された配布データ内の操作制限すべき操作対象を指定したユーザ指示をユーザインターフェースを介して入力する入力手段と、
前記入力手段により入力された前記ユーザ指示に基づく指示情報を作成する作成手段と、
前記作成手段により作成された前記指示情報を前記配布データを配布した前記情報利用側の情報処理装置に対して送信する送信手段と
を具備し、
前記情報利用側の情報利用装置は、
前記送信手段から送信されてきた前記指示情報を受信する受信手段と、
前記受信手段により受信した前記指示情報により操作制限が指定されている前記配布データ内の操作対象に対してユーザが行える操作を制限する制限手段と
を具備することを特徴とする情報処理システム。
【請求項２】
前記操作制限すべき操作対象は、前記配布データの各ページを構成するオブジェクトであり、
前記制限手段は、
前記送信手段から送信されてきた前記指示情報に基づき前記配布データに対する操作をオブジェクト単位で制限する
ことを特徴とする請求項１記載の情報処理システム。
【請求項３】
前記入力手段は、
操作制限すべきオブジェクトの個別指定、操作制限すべきオブジェクトの種類の指定、前記配布データを表示する表示画面内の領域指定、全オブジェクトの指定、の何れかの方法により前記操作制限すべき操作対象を指定したユーザ指示を入力する
ことを特徴とする請求項２記載の情報処理システム。
【請求項４】
前記操作制限すべき操作対象は、前記配布データの各ページを構成するオブジェクトの属性であり、
前記制限手段は、
前記送信手段から送信されてきた前記指示情報に基づき前記配布データに対する操作をオブジェクトの属性単位で制限する
ことを特徴とする請求項１記載の情報処理システム。
【請求項５】
前記操作制限すべき操作対象は、前記配布データのページであり、
前記制限手段は、
前記送信手段から送信されてきた前記指示情報に基づき前記配布データに対する操作をページ単位で制限する
ことを特徴とする請求項１記載の情報処理システム。
【請求項６】
前記入力手段は、
ページの個別指定、ページの属性指定、全ページ指定、の何れかの方法により前記操作制限すべき操作対象を指定したユーザ指示を入力する
ことを特徴とする請求項５記載の情報処理システム。
【請求項７】
前記配布手段による配布データの配布前に、該配布データ内の操作制限すべき操作対象を指定した設定情報に基づき前記指示情報を作成する処理を行なう配布前制限手段
を更に具備し、
前記配布手段は、
前記配布データの配布とともに、前記配布前制限手段による処理により作成された指示情報を前記情報利用側の情報処理装置に対して送信する
ことを特徴とする請求項１記載の情報処理システム。
【請求項８】
情報配布側の情報処理装置と、情報利用側の情報利用装置とを有する情報処理システムにおける処理方法であって、
前記情報配布側の情報処理装置で実行される処理方法は、
配布手段が、前記情報利用側の情報処理装置に配布データを配布する配布工程と、
入力手段が、前記配布工程により配布された配布データ内の操作制限すべき操作対象を指定したユーザ指示をユーザインターフェースを介して入力する入力工程と、
作成手段が、前記入力工程により入力された前記ユーザ指示に基づく指示情報を作成する作成工程と、
送信手段が、前記作成工程により作成された前記指示情報を前記配布データを配布した前記情報利用側の情報処理装置に対して送信する送信工程と
を含み、
前記情報利用側の情報利用装置で実行される処理方法は、
受信手段が、前記送信工程から送信されてきた前記指示情報を受信する受信工程と、
制限手段が、前記受信工程により受信した前記指示情報により操作制限が指定されている前記配布データ内の操作対象に対してユーザが行える操作を制限する制限工程と
を含むことを特徴とする情報処理システムにおける処理方法。
【請求項９】
情報利用側の情報処理装置に配布データを配布する配布手段と、
前記配布手段により配布された配布データ内の操作制限すべき操作対象を指定したユーザ指示をユーザインターフェースを介して入力する入力手段と、
前記入力手段により入力された前記ユーザ指示に基づく指示情報を作成する作成手段と、
前記作成手段により作成された前記指示情報を前記配布データを配布した前記情報利用側の情報処理装置に対して送信する送信手段と
を具備することを特徴とする情報配布側の情報処理装置。
【請求項１０】
情報配布側の情報処理装置から配布データを受信する配布データ受信手段と、
前記配布データ受信手段により受信した配布データ内の操作制限すべき操作対象を指定したユーザ指示に基づく指示情報を受信する受信手段と、
前記受信手段により受信した前記指示情報により操作制限が指定されている前記配布データ内の操作対象に対してユーザが行える操作を制限する制限手段と
を具備することを特徴とする情報利用側の情報処理装置。
【請求項１１】
コンピュータを、
情報利用側の情報処理装置に配布データを配布する配布手段、
前記配布手段により配布された配布データ内の操作制限すべき操作対象を指定したユーザ指示をユーザインターフェースを介して入力する入力手段、
前記入力手段により入力された前記ユーザ指示に基づく指示情報を作成する作成手段、
前記作成手段により作成された前記指示情報を前記配布データを配布した前記情報利用側の情報処理装置に対して送信する送信手段
として機能させるための情報配布側処理プログラム。
【請求項１２】
コンピュータを、
情報配布側の情報処理装置から配布データを受信する配布データ受信手段、
前記配布データ受信手段により受信した配布データ内の操作制限すべき操作対象を指定したユーザ指示に基づく指示情報を受信する受信手段、
前記受信手段により受信した前記指示情報により操作制限が指定されている前記配布データ内の操作対象に対してユーザが行える操作を制限する制限手段
として機能させるための情報利用側処理プログラム。
【手続補正２】
【補正対象書類名】明細書
【補正対象項目名】００１０
【補正方法】変更
【補正の内容】
【００１０】
また、本発明の一態様による情報処理システムにおける処理方法は、情報配布側の情報処理装置と、情報利用側の情報利用装置とを有する情報処理システムにおける処理方法であって、前記情報配布側の情報処理装置で実行される処理方法は、配布手段が、前記情報利用側の情報処理装置に配布データを配布する配布工程と、入力手段が、前記配布工程により配布された配布データ内の操作制限すべき操作対象を指定したユーザ指示をユーザインターフェースを介して入力する入力工程と、作成手段が、前記入力工程により入力された前記ユーザ指示に基づく指示情報を作成する作成工程と、送信手段が、前記作成工程により作成された前記指示情報を前記配布データを配布した前記情報利用側の情報処理装置に対して送信する送信工程とを含み、前記情報利用側の情報利用装置で実行される処理方法は、受信手段が、前記送信工程から送信されてきた前記指示情報を受信する受信工程と、制限手段が、前記受信工程により受信した前記指示情報により操作制限が指定されている前記配布データ内の操作対象に対してユーザが行える操作を制限する制限工程とを含むことを特徴とする。